(57)【要約】【課題】断面積の小さい、細長い密閉容器の中に封入され、スムースに容器内の流体を放出して、使用に供することのできる封入式打開手段の提供。【解決手段】密閉した細長い容器の中に封入され、この容器をその上、またはその付近を折ることにより打開され、容器内の流体をその開口部より流出させて、使用に供する封入式打開手段を提供した。【選択図】図１
2007524493.tif 000002
【特許請求の範囲】
【請求項１】
細長い管状ハウジングの封入式打開手段であって、前記細長い管状ハウジングは１つの密閉端部と１つの開放端部とを含み、前記密閉端部の付近には流体が収容されてあり、前記封入式打開手段は１つの開放端部と１つの密閉端部を含む円柱であり、その周囲の封止部の直径はほぼ前記細長い管状ハウジングの内径と等しく、その封止力で前記細長い管状ハウジングと前記打開手段の間からの流体の流出を防ぎ、また、前記打開手段の密閉端部の外径は前記細長い管状ハウジングの内径よりも小さく、前記円柱の密閉端部の付近には切目線が流体の収容されている方の封止部直径に沿って形成され、前記封入式打開手段はその開放端部が流体の方に向くように前記細長い管状ハウジング内部に配置されて、液体を前記細長いハウジング内部に密閉していることを特徴とする、封入式打開手段。  
【請求項２】
前記細長い管状ハウジングの開放端部には、塗布具が取り付けられていることを特徴とする、請求項１に記載の封入式打開手段。
【請求項３】
前記細長い管状ハウジングの開放端部における内径は、前記細長い管状ハウジングのそれよりも小さいことを特徴とする、請求項１又は２に記載の封入式打開手段。  
【請求項４】
前記細長い管状ハウジングの密閉端部の付近には、１つの細長い構材が設置されていることを特徴とする。請求項１又は２に記載の封入式打開手段。
【請求項５】
前記細長い構材には、１つの自由尖端と１つの固定端部が含まれていて、前記細長い管状ハウジングの密閉端部に取りつけられ、また、１本の切目線が、前記細長い管状ハウジングの密閉端部付近に形成されていることを特徴とする、請求項４に記載の封入式打開手段。
【請求項６】
前記細長い管状ハウジングの開放端部には、１本の２つの開放端部がある管筒が挿し通されていて、その中の１つの開放端部は、前記細長い管状ハウジングの開放端部から突出していることを特徴とする、請求項１に記載の封入式打開手段。
【請求項７】
前記管筒の開放端部には塗布具が取り付けられていることを特徴とする、請求項６に記載の封入式打開手段。
【請求項８】
前記細長い管状ハウジングの密閉端部の付近には、１つの細長い構材が設置されていることを特徴とする、請求項６、または７に記載の封入式打開手段。
【請求項９】
前記細長い構材には、１つの自由尖端と１つの固定端部が含まれていて、前記細長い管状ハウジングの密閉端部に取りつけられ、また、１本の切目線が、前記細長い管状ハウジングの密閉端部付近に形成されていることを特徴とする、請求項８に記載の封入式打開手段。
【請求項１０】
第１密閉端部と、外径を減少された第２密閉端部を有する管状ハウジングと、前記管状ハウジング内に封入された流体と、前記第２密閉端部の付近に形成された切目線と、第１開放端部と第２開放端部を有する管筒とを含み、前記第１開放端部は前記管状ハウジングの第２密閉端部を包覆して、前記切目線の下方で前記第２密閉端部の周囲に封止部を形成し、前記管状ハウジングが前記切目線に沿って、或はその付近にて折り曲げられた場合、流体が前記管筒を通って流出することを特徴とする、封入式打開手段。
【請求項１１】
前記管筒の第２開放端部には、塗布具が取り付けられていることを特徴とする、請求項１０に記載の封入式打開手段。
【請求項１２】
前記管状ハウジングの内部には、１つの細長い構材が設置されていることを特徴とする、請求項１０又は１１に記載の封入式打開手段。
【請求項１３】
前記細長い構材には、１つの自由尖端と１つの固定端部が含まれていて、前記管状ハウジングの第１密閉端部に取りつけられ、また、１本の切目線が前記管状ハウジングの第１密閉端部の付近に形成されていることを特徴とする。請求項１２に記載の封入式打開手段。
【請求項１４】
細長い管状ハウジングの封入式打開手段であって、前記細長い管状ハウジングは１つの密閉端部と１つの開放端部とを含み、前記密閉端部の付近には流体が収容されてあり、前記封入式打開手段は２つの開放端部と１つの封止体のある管部を含み、前記封止体は前記２つの開放端部の間に位置してこれを隔離し、前記管部の前記封止体付近における外径は、前記管部の前記両端部付近の外径よりちいさく、また、１本の切目線が、外径の小さい方の前記封止体の１側に形成され、また、１つの開口部が外径の小さい方の前記封止体の他の１側に開設され、前記封入式打開手段は、前記細長い管状ハウジングに、開放端部と前記切目線が流体に向うように、そして開放端部と前記開口部は前記細長い管状ハウジングの開放端部に向うように取り付けられることを特徴とする、封入式打開手段。
【請求項１５】
前記細長い管状ハウジングの開放端部には、塗布具が取り付けられていることを特徴とする。請求項１４に記載の封入式打開手段。
【請求項１６】
前記細長い管状ハウジングの密閉端部付近には、１つの細長い構材が設置されていることを特徴とする、請求項１４又は１５に記載の封入式打開手段。
【請求項１７】
前記細長い構材には１つの自由尖端と１つの固定端部が含まれていて、前記細長い管状ハウジングの密閉端部に取りつけられ、また、１本の切目線が前記細長い管状ハウジングの密閉端部の付近に形成されていることを特徴とする、請求項１６に記載の封入式打開手段。
【請求項１８】
前記細長い管状ハウジングの開放端部には、１本の２つの開放端部のある管筒が挿し込まれていて、その１つの開放端部が、前記細長い管状ハウジングの開放端部から突出していることを特徴とする、請求項１４に記載の封入式打開手段。
【請求項１９】
前記細長い管状ハウジングの開放端部から突出した前記管筒の開放端部には、１つの塗布具が取り付けられていることを特徴とする、請求項１８に記載の封入式打開手段。
【請求項２０】
前記細長い管状ハウジングの密閉端部付近には、１つの細長い構材が設置されていることを特徴とする、請求項１８又は１９に記載の封入式打開手段。
【請求項２１】
前記細長い構材には１つの自由尖端と１つの固定端部が含まれていて、前記細長い管状ハウジングの密閉端部に取りつけられ、また、１本の切目線が前記細長い管状ハウジングの密閉端部の付近に形成されていることを特徴とする、請求項２０に記載の封入式打開手段。
【発明の詳細な説明】
【技術分野】
【０００１】
本発明は密閉式の容器内に封入されて、容器内に収容されている液体を放出するための、打開手段に関するものである。
【背景技術】
【０００２】
容器を開けるためには色々な打開手段がある。捻り回し式やスナップ・オン式が一般的である。一部分は容器に脆弱部や切目線を設けてそこを打開し、容器の内容物を放出するのである。これらの打開手段は全て容器の外部、例えば捻り回し式やスナップ・オン式の蓋として取り付け、或は容器の１部に直接、例えば脆弱部や切目線を設けている。打開手段を容器の内部に封入して液体を容器の中に封存し、必要時、これを簡単かつ的確に放出する方式のものは未だかってその例を見ない。特に断面積の小さい小型の細長い容器に有効、かつ簡単に応用できる打開手段は、甚だ少ないのが現状である。
【０００３】
本願の発明者が先にアメリカで特許出願中の幾多の封入式打開手段の設計方式では、打開手段を容器内部に封入して、液体を容器内に封存し、使用にあたり、この液体を簡単かつ的確に放出できるようにしたものである。その中の１つの設計例においては、封入式打開手段には１つの円柱体が含まれ、その外径はほぼ細長い管状ハウジングの内径と相等しく、１つの細長い管状ハウジングから液体に至る小さい液体の通路を構成している。
液体に近い端部には細長い凸起が形成されていて、その直径は封入式打開手段の円柱体のそれよりも小さく、封入式打開手段の円柱体から分離できるようになっている。この細長い凸起で円柱内の小さい液体通路を封止し、また、封入式打開手段から細長い管状ハウジング内の液体の漏出を防ぐのである。
細長い管状ハウジングが、細長い凸起と封入式打開手段の円柱体との間の接合部の付近で折り曲げられたとき、細長い凸起は円柱体から分離し、小さい液体通路が開設されて、打開手段を経て液体は細長い管状ハウジングから放出されるのである。
【０００４】
然るにこのような特殊の設計形態には幾つから欠点がある。細長い管状ハウジングが圧迫されて、その中の液体が放出されるとき、圧迫を受ける液体内に設けられている細長い凸起は、細長い管状ハウジングの圧縮を妨碍するので、そのため液体の圧縮される度合を制限されて、スムースに放出されないのである。
また、打開手段が作用し、切断されて液体内に残留した細長い凸起は、圧迫されて細長い管状ハウジングから流出する液体の通路を塞ぐのである。切断された細長い凸起は液体と共に流れ、開口部で詰まって、順調な液体の流出が制限されるのである。
【発明の開示】
【発明が解決しようとする課題】
【０００５】
本発明の課題は密閉式の容器内に完全に封入され、容器内に密閉されている液体をスムースに放出できる打開手段を開発する所にある。
【課題を解決するための手段】
【０００６】
上述の課題を解決するため、本発明の提供する封入式打開手段は、細長い密閉された容器の打開手段、或はその付近を折り曲げることにより、打開手段が作用し、細長い容器の内部に密閉された流体を放出して使用に供する。本発明によれば、細長い密閉容器、またはその中の流体を圧迫したとき、妨碍（妨害）が起こらない。
【０００７】
細長い密閉容器の断面が小さく、その中の流体が表面張力のため、流出できない場合、１つのガイド構材を利用して毛細管作用を誘起し、流体の表面張力を克服して、密閉容器から流体を放出できるように発明した。
【発明の効果】
【０００８】
このように本発明に係わる打開手段は、細長い断面積の小さい容器の中に封入され、容器内の流体が表面張力のため、流出できない場合でも、ガイド構材を利用して毛細管作用を誘起し、液体の表面張力を克服して、流体を放出できるので、非常に便利に使用できる効果があるものである。
【発明を実施するための最良の形態】
【０００９】
図１と２は本発明に係わる、封入式打開手段の実施例を示す図である。この実施例では打開手段は密閉端部２と開放端部３のある細長い管状ハウジング１に使用される。棉球、泡沫先端、またはブラシのような塗布具４が管状ハウジング１の開放端部３に取り付けられている。管状ハウジング１の密閉端部２の付近には、流体５が封入されている。そして打開手段６は液体５を密閉収容した管状ハウジング１の内部に封入されている。打開手段６、或はその付近の位置で管状ハウジング１を折り曲げれば打開手段６は作用を起こす。打開手段６は管状ハウジング１の内部のどこに設けてもよい。
図のように打開手段６は、管状ハウジング１の開放端部３の付近に位置し、この開放端部３の表面を圧迫することにより、打開手段６が管状ハウジング１の折り曲げと共に打開されて、最大量の流体４を放出するのである。
図２に示したように、打開手段６は、管状ハウジング１の開放端部３から離れた位置に設けてもよく、そうすれば、管状ハウジングを折り曲げる際、棉球のような塗布具４を取り付けた管状ハウジング１の開放端部３に手が触れることがない。
【００１０】
封入式打開手段６は１つの開放端部７と１つの密閉端部８を含む円柱体であり、その周囲の封止部の直径はほぼ細長い管状ハウジング１に内径と等しく、その封止力で、管状ハウジング１と打開手段６の間からの流体５の流出を防ぐのである。
【００１１】
密閉端部８の外径は細長い管状ハウジング１の直径よりも小さい。円柱体の密閉端部の付近で、流体５が収容されている封止径部の他側には、切目線９が形成されている。管状ハウジング１にその開放端部７を流体５に向うように、封入式打開手段６が挿入され、流体５を管状ハウジング１の内部に密閉している。管状ハウジング１が、円柱体の上の切目線に沿って、或はその付近で折り曲げられたとき、円柱体は２つに分かれ、小さい流体の通路が打開手段６を経由して、流体５から管状ハウジング１の開放端部３まで打通され、これに沿って流体５は、打開手段６を通って、管状ハウジング１から放出される。
【００１２】
図３に示したように、塗布具が不要の場合、細長い管状ハウジング１の開放端部３の開口部を縮小して、打開手段６の打開用密閉端部８を抑制することもできる。打開手段６の打開用密閉端部８に場所を取られている場合でも、縮小した開口部は流体通路のプロファイルを維持しえるものである。この目的を達成するためには、縮小した開口部の形を楕円状やその他の、打開手段６の打開用密閉端部８の形とは異なるようにすればよい。
【００１３】
細長い管状ハウジング１の断面が小さくて、内部の流体５が表面張力のため、ただ、打開手段６の操作だけではうまく放出できない場合、ガイド構材１０を利用して、毛細管作用を起こし、流体５の表面張力を克服すれば、図３に示すように、流体５は管状ハウジング１から流出するのである。ガイド構材１０を管状ハウジング１の密閉端部２に取り付け、打開手段６の開放端部７の近く、またはややその内に延伸すればよい。
【００１４】
ガイド構材１０が細長い管状ハウジング１の密閉端部２に取りつけられ、その自由端部が尖端に形成された場合、流体がないときは爪楊枝として利用する。管状ハウジング１の密閉端部２の付近に切目線１１を形成して、密閉端部２とガイド構材１０を管状ハウジング１の他の部分と分離させて、ガイド構材１０の尖端を露呈し、爪楊枝として利用するものである。
【００１５】
図４は本発明に係わる、封入式打開手段のもう１つの実施例図である。この実施例では、封入式打開手段１５を細長い管状ハウジング１２の密閉端部１４として形成している。管状ハウジング１２には２つの密閉端部１３、１４を有し、その中に流体５を収容している。管状ハウジング１２の端部１４と封入式打開手段１５は、２つの開放端部１７、１８を有する第２管状ハウジング１６に挿入されている。第２管状ハウジング１６の開放端部１７は管状ハウジング１２の端部１４の周囲を封止し、封入式打開手段１５は切目線１９を超えたい位置に設けられている。例えば棉球、泡沫先端、或はブラシのような塗布具４を第２管状ハウジング１６の他の開放端部１８に取り付けてもよい。
【００１６】
図５は本発明に係わる、封入式打開手段の更に１つの実施例図である。この実施例では、封入式打開手段２１の密閉端部２０の周辺には、１箇所か１箇所以上の流体通路が密閉端部２０のまわりに形成されている。密閉端部は円に属さない、例えば三角形、正方形、または星形のような幾何図形に形成され、別の管筒２２に挿入された場合、管筒２２完全に封止せず、１箇所、またはそれ以上の流体通路を密閉端部２０と管筒２２との間に残すものである。封入式打開手段２１は密閉端部２と開放端部３を有する細長い管状ハウジング１の中で使用される。流体５は管状ハウジング１の密閉端部２付近に収容されている。管状ハウジング１の中に封入された打開手段２１は流体５を管状ハウジングの中に封止している。２つの開放の端部を有するもう１本の管筒２２は、管状ハウジング１の開放端部３に挿入され、その開放端部の１つは打開手段２１の密閉端部２０に向けられ、打開手段２１の密閉端部２０の上に乗置されている。もう１つの開放端部は、管状ハウジング１の開放端部３から突出している。管筒２２の突出した開放端部には、例えば棉球、泡沫先端、またはブラシのような塗布具４を取り付けてもよい。
【００１７】
図６は本発明に係わる、封入式打開手段の更に１つの実施例図である。この実施例では、封入式打開手段６は、密閉端部２と開放端部３を有する細長い管状ハウジング１の内部で使用される。管状ハウジング１の密閉端部２の付近に流体５が収容されている。封入式打開手段６は管状ハウジング１の中に設けられ、流体５を管状ハウジング１の中に封止している。２つの開放端部を有するもう１本の管筒２３は、管状ハウジング１の開放端部３に挿入されていて、開放端部の１つは打開手段６の密閉端部８に向けられ、もう１つの開放端部は、管状ハウジング１の開放端部３から突出している。管筒２３の突出した開放端部には、例えば棉球、泡沫先端、またはブラシのような塗布具４を取り付けてもよい。
【００１８】
図７は本発明に係わる、封入式打開手段の更に１つの実施例図である。この実施例では、打開手段は２つの開放端部２５，２６を有する管部２４からなり、開放端部２５，２６の間の管部２４に位置する封止体２７により、２つの開放端部２５と２６を隔離している。封止体２７付近の管部２４の外径は、２つの開放端部２５、２６付近の管部２４の外径より小さい。外径が縮小された管部２４に配置された封止体２７の１側には切目線２８が形成されている。封止体２７の他の１側の外径が縮小された管部には、例えば穴のような開口部２９が形成されている。封入式打開手段２４は細長い管状ハウジング１に挿入され、この管状ハウジング１は密閉端部２と開放端部３があり、流体５を密閉端部２の付近に収容している。打開手段２４は、開口端部２５と切目線２８とが、流体５に向かい、開放端部２６と開口部２９とが、管状ハウジング１の開放端部３に向かうように挿入されているのである。管状ハウジング１の開放端部３には、例えば棉球、泡沫先端、またはブラシのような塗布具４を取り付けてもよい。細長い管状ハウジング１が打開手段２４に形成された切目線２８に沿って、またはその付近で折り曲げられたとき、流体５から管状ハウジング１の開放端部３に至る流体通路が形成される。切目線２８の裂開により形成された開口部から、流体５が流出して、打開手段２４の外径縮小部と、管状ハウジング１の内壁との間の区域に流れ込み、更に打開手段２４の封止体２７の他側に形成された開口部に至り、細長い管状ハウジング１の外部に排出されるのである。
【００１９】
図８は本発明に係わる、封入式打開手段の更に１つの実施例図である。この実施例では、中空管３０が細長い管状ハウジング１の開放端部３から打開手段２４の開放端部２６に至るまで挿入されている（図７を参照）。中空管３０の開放端部には、例えば棉球、泡沫先端、またはブラシのような塗布具４を取り付けてもよい。中空管３０は管状ハウジング１の外部に露出している。この実施例では、剛性が一層強化された中空管３０を使用すれば、塗布具４付近の管状ハウジング１本体の剛度は増加されるのである。
【００２０】
図９は本発明に係わる、封入式打開手段の更に１つの実施例図である。この図は先に図７に示したもので、打開手段２つの開放端部３２、３３と１つの封止体３４とからなる管部３１を含み、開放端部３２、３３の間の管部３１に位置する封止体３４により、２つの開放端部３２と３３を隔離している。封止体３４付近の管部３１の外径は、２つの開放端部３２、３３付近の管部３１の外径より小さい。外径が縮小された管部に配置された封止体３４の１側には切目線３５が形成されている。封止体３４の他の１側の外径が縮小された管部には、例えば穴のような開口部３６が形成されている。そして、打開手段３２は密閉端部２と開放端部３を有する細長い管状ハウジング１に挿入されている。管状ハウジング１の密閉端部２の付近には、流体５が密閉状態で収容されている。打開手段３１は、その開放端部３２と切目線３５が流体５に向かい、開放端部３３と開口部３６が、管状ハウジング１の開放端部３に向かうように、挿入されている。打開手段３１の開放端部３３は、管状ハウジング１から伸出している。例えば棉球、泡沫先端またはブラシのような塗布具４を打開手段３１の開放端部３３に取り付けることもできる。管状ハウジング１を打開手段３１に形成された切目線３５に沿って、或はその付近で折り曲げたとき、流体５から打開手段３１の開放端部３３に至る流体通路が形成される。切目線３５の裂開により形成された開口部から、流体５が流出して、打開手段３１の外径縮小部と、管状ハウジング１の内壁との間の区域に流れ込み、更に打開手段３１の封止体３４の他側に形成された開口部に至り、細長い管状ハウジング１の外部に排出されるのである。
【００２１】
本発明は、本発明の技術的思想から逸脱することなく。他の色々な形態で実施することができる。前述の各実施例は、あくまでも、本発明の技術内容を明らかにするだけのものであって、そのような具体例のみに限定して、狭義に解釈されるべきものではなく、本発明の精神と特許請求の範囲内で、色々と変更して実施できるものである。
【図面の簡単な説明】
【００２２】
【図１】本発明に係わる、封入式打開手段の１実施例の断面図である。
【図２】本発明に係わる、封入式打開手段の別な実施例の断面図である。
【図３】本発明に係わる、封入式打開手段の更に１つの実際例の断面図である。
【図４】本発明に係わる、封入式打開手段の更に１つの実施例の断面図である。
【図５】本発明に係わる、封入式打開手段の更に１つの実施例の断面図である。
【図６】本発明に係わる、封入式打開手段の更に１つの実施例の断面図である。
【図７】本発明に係わる、封入式打開手段の更に１つの実施例の断面図である。
【図８】本発明に係わる、封入式打開手段の更に１つの実施例の断面図である。
【図９】本発明に係わる、封入式打開手段の更に１つの実施例の断面図である。
【符号の説明】
【００２３】
１：細長い管状ハウジング  ２：密閉端部
３：開放端部              ４：塗布具
５：流体                  ６：封入式打開手段
７：開放端部              ８：密閉端部
９：切目線                １０：ガイド構材
１１：切目線              １２：細長い管状ハウジング
１３：密閉端部            １４：密閉端部
１５：封入式打開手段      １６：第２管体
１７：開放端部            １８：開放端部
１９：切目線              ２０：密閉端部
２１：封入式打開手段      ２２：管筒
２３：管筒                ２４：管部
２５：開放端部            ２６：開放端部
２７：封止体              ２８：切目線
２９：開口部              ３０：中空管
３１：管部                ３２：開放端部
３３：開放端部            ３４：封止体
３５：切目線              ３６：開口部
【図１】
2007524493.tif 000003
【図２】
2007524493.tif 000004
【図３】
2007524493.tif 000005
【図４】
2007524493.tif 000006
【図５】
2007524493.tif 000007
【図６】
2007524493.tif 000008
【図７】
2007524493.tif 000009
【図８】
2007524493.tif 000010
【図９】
2007524493.tif 000011
【国際調査報告】
2007524493.tif 000012